(57)【要約】【課題】  図形要素を識別可能とするＣＡＤシステム及びＣＡＤシステムを搭載した端末装置を提供する。【解決手段】    コマンド実行により、レイヤ名を記憶したレイヤメモリテーブルが作成され（Ｓ１００）、シンボルが選択されたら（Ｓ１０２：ＹＥＳ）、属性値が記憶され（Ｓ１０３）、履歴情報がなければ（Ｓ１０４：ＮＯ）、表記名称を作成する（Ｓ１０５）。例えば、レイヤ「機器」に選択シンボルがあり、属性値が「PRT-LS-02」「プリンタ」「白黒:9600×600:20PPM」「黒須市担当01」「20030922」であり、下層のレイヤが「黒須市」、「地域イントラ」、「黒須小」、「西校舎1F」とすると、「黒須市地域イントラ黒須小西校舎1F機器PRT-LS-02プリンタ白黒:9600×600:20PPM黒須市担当0120030922」となる。そして、表記名称が文字情報として配置され（Ｓ１０６）、履歴情報にデータが記憶される（Ｓ１０７）。【選択図】  図３１
2005100180.tif 000002
【特許請求の範囲】
【請求項１】
複数の図形要素が属する複数の画層からなるＣＡＤ図面データを作成するＣＡＤシステムにおいて、
前記画層及び前記図形要素毎に、前記画層及び前記図形要素の名前、識別符号、作成日付、作成者、説明文言のうちの少なくとも１つを含む説明情報を記憶する説明情報記憶手段と、
前記画層を作成すると共に、作成した当該画層の前記説明情報を前記説明情報記憶手段に記憶する画層作成手段と、
前記図形要素を作成すると共に、作成した当該図形要素の前記説明情報を前記説明情報記憶手段に記憶する図形要素作成手段と、
前記画層作成手段及び前記図形要素作成手段により作成された前記画層及び前記図形要素を有する見本ＣＡＤ図面データと、
当該見本ＣＡＤ図面データに属する前記画層又は前記図形要素の検索を指示する検索指示手段と、
当該検索指示手段により検索の指示が行われた場合に、前記説明情報記憶手段に記憶されている前記画層又は前記図形要素の前記説明情報を検索する第１検索手段と、
当該第１検索手段により検索された前記画層又は前記図形要素の前記説明情報に対応する前記画層又は前記図形要素を前記見本ＣＡＤ図面データから検索する第２検索手段と、
当該第２検索手段により検索された前記画層又は前記図形要素を画面に表示する表示制御手段と、
前記画面に表示された前記画層又は前記図形要素から少なくとも１つを選択する選択手段と、
当該選択手段で選択された前記画層又は前記図形要素の前記説明情報の内容のうちの少なくとも１つの内容を表記名称作成用情報として記憶する表記名称作成用情報記憶手段と、
前記選択手段で選択された前記画層を作成中のＣＡＤ図面データに追加する画層追加手段と、
前記選択手段で選択された前記図形要素を前記作成中のＣＡＤ図面データに追加する図形要素追加手段と、
前記図形要素を他の図形要素と識別可能な名称である表記名称を文字要素として作成することを指示する表記名称作成指示手段と、
当該表記名称作成指示手段の指示により文字要素が作成された場合に、前記表記名称作成情報記憶手段に記憶されている表記名称作成情報に基づいて前記表記名称を決定する表記名称決定手段と、
前記図形要素の前記表示名称を文字要素として前記作成中のＣＡＤ図面データに作成する表示名称作成手段と
を備えたことを特徴とするＣＡＤシステム。
【請求項２】
前記表記名称決定手段は、作成中のＣＡＤ図面データの画層の前記表記名称作成情報の内容、及び、前記表記名称を決定する前記図形要素の前記表記名称作成情報の内容のうちの少なくとも２つを組み合わせて前記図形要素の前記表記名称を決定することを特徴とする請求項１に記載のＣＡＤシステム。
【請求項３】
前記表記名称決定手段により決定された表記名称、前記表記名称作成手段により前記表記名称が作成された前記図形要素の前記説明情報、及び、作成中のＣＡＤ図面データの画層の前記表記名称作成情報の要素のうちの少なくとも１つを履歴情報として記憶する履歴情報記憶手段と、
前記表記名称作成手段により前記表記名称が作成された場合に前記履歴情報記憶手段に前記履歴情報を記憶する履歴情報記憶制御手段と
を備えたことを特徴とする請求項１又は２に記載のＣＡＤシステム。
【請求項４】
前記表記名称作成手段により前記図形要素の前記表記名称を作成する際に、当該図形要素についての前記履歴情報がすでに前記履歴情報記憶手段に記憶されている場合には、前記表記名称作成手段により前記図形要素の前記表記名称の作成を行わず、前記履歴情報記憶手段に前記履歴情報を記憶しないことを特徴とする請求項３に記載のＣＡＤシステム。
【請求項５】
前記履歴情報記憶手段に記憶されている前記履歴情報を検索する履歴情報検索手段を備えたことを特徴とする請求項３又は４に記載のＣＡＤシステム。
【請求項６】
請求項１乃至５のいずれかに記載のＣＡＤシステムを搭載したことを特徴とする端末装置。
【発明の詳細な説明】
【技術分野】
【０００１】
本発明はＣＡＤシステム及びＣＡＤシステムを搭載した端末装置に関し、詳細には図形要素を識別可能なＣＡＤシステム及びＣＡＤシステムを搭載した端末装置に関する。
【背景技術】
【０００２】
従来、建築物や工業製品の設計を行うためには、様々な図面が必要となり、ＣＡＤシステム（Computer Aided Design System）を利用して図面が作成されている。例えば、地域イントラネットの敷設事業を考えた場合には、事業概要図、システム構成図、光ケーブル系統図、地域イントラネットに接続する機器が設置される種々の施設の施設内の図面等が必要となる。施設内の図としては、施設配管図、施設平面図、施設内の各部屋の平面図等が必要となる。また、工業製品の設計を行うにあたっても、種々の部品が必要となり、各部品の設計図や部品の組み立て図等の図面が必要となる。そして、これらの図面を構成する図形要素（線分や図形、それらの集合であるブロック等）の名前を示す表記は、個々の図形要素毎に設計者が任意に設定している。
【特許文献１】なし
【発明の開示】
【発明が解決しようとする課題】
【０００３】
しかしながら、１つの建築物や工業製品のための図面を複数の設計者が作成したり、作成後の図面を他の設計者が利用したりする場合がある。さらに、現実の業務が進行するのに伴い、最初に図面を作成した者と別の人物が図面に手を加える事も多々ある。そこで、図形要素の名前が設計者毎にまちまちであると、図形要素の名前の成り立ちに一定のルールがないと作業効率が悪いという問題点がある。そこで、その設計図を使用する設計者間で、名前決定のルールを定めることが考えられるが、全ての設計者が全ての図形要素にルールに沿った名前を設定するとは限らないとうい問題点がある。設計者がルールを守らない場合もあれば、ルールを失念する場合もある。
【０００４】
また、同じ図形で表されるが、その内容については異なる部分がある設計図上の要素があるとする。例えば、パソコンを配置する際に、「パソコン」という装置としては同じであっても、ＣＰＵ能力、ＨＤＤ、メモリの容量、ＣＤ−ＲＯＭドライブの有無、外部機器との接続ポートの種類や数等、様々な点で違いがある。しかしながら、「パソコン」をイメージさせる同じ図柄で表現した場合には、これらの各パソコンを識別できない。細かな違いのために図形構成を変化をさせることは困難である。つまり、図形構成としては同じ図形要素であっても、その内容の異なることがあり、それぞれを識別できないという問題がある。
【０００５】
本発明は、上述の問題点を解決するためになされたものであり、図形要素を識別可能とするＣＡＤシステム及びＣＡＤシステムを搭載した端末装置を提供することを目的とする。
【課題を解決するための手段】
【０００６】
上記課題を解決するため、請求項１に係る発明のＣＡＤシステムでは、複数の図形要素が属する複数の画層からなるＣＡＤ図面データを作成するＣＡＤシステムにおいて、前記画層及び前記図形要素毎に、前記画層及び前記図形要素の名前、識別符号、作成日付、作成者、説明文言のうちの少なくとも１つを含む説明情報を記憶する説明情報記憶手段と、前記画層を作成すると共に、作成した当該画層の前記説明情報を前記説明情報記憶手段に記憶する画層作成手段と、前記図形要素を作成すると共に、作成した当該図形要素の前記説明情報を前記説明情報記憶手段に記憶する図形要素作成手段と、前記画層作成手段及び前記図形要素作成手段により作成された前記画層及び前記図形要素を有する見本ＣＡＤ図面データと、当該見本ＣＡＤ図面データに属する前記画層又は前記図形要素の検索を指示する検索指示手段と、当該検索指示手段により検索の指示が行われた場合に、前記説明情報記憶手段に記憶されている前記画層又は前記図形要素の前記説明情報を検索する第１検索手段と、当該第１検索手段により検索された前記画層又は前記図形要素の前記説明情報に対応する前記画層又は前記図形要素を前記見本ＣＡＤ図面データから検索する第２検索手段と、当該第２検索手段により検索された前記画層又は前記図形要素を画面に表示する表示制御手段と、前記画面に表示された前記画層又は前記図形要素から少なくとも１つを選択する選択手段と、当該選択手段で選択された前記画層又は前記図形要素の前記説明情報の内容のうちの少なくとも１つの内容を表記名称作成用情報として記憶する表記名称作成用情報記憶手段と、前記選択手段で選択された前記画層を作成中のＣＡＤ図面データに追加する画層追加手段と、前記選択手段で選択された前記図形要素を前記作成中のＣＡＤ図面データに追加する図形要素追加手段と、前記図形要素を他の図形要素と識別可能な名称である表記名称を文字要素として作成することを指示する表記名称作成指示手段と、当該表記名称作成指示手段の指示により文字要素が作成された場合に、前記表記名称作成情報記憶手段に記憶されている表記名称作成情報に基づいて前記表記名称を決定する表記名称決定手段と、前記図形要素の前記表示名称を文字要素として前記作成中のＣＡＤ図面データに作成する表示名称作成手段とを備えている。
【０００７】
また、請求項２に係る発明のＣＡＤシステムでは、請求項１に記載の発明の構成に加えて、前記表記名称決定手段は、作成中のＣＡＤ図面データの画層の前記表記名称作成情報の内容、及び、前記表記名称を決定する前記図形要素の前記表記名称作成情報の内容のうちの少なくとも２つを組み合わせて前記図形要素の前記表記名称を決定することを特徴とする構成となっている。
【０００８】
また、請求項３に係る発明のＣＡＤシステムでは、請求項１又は２に記載の発明の構成に加えて、前記表記名称決定手段により決定された前記表記名称、前記表記名称作成手段により表記名称が作成された前記図形要素の前記説明情報、及び、作成中のＣＡＤ図面データの画層の前記表記名称作成情報の要素のうちの少なくとも１つを履歴情報として記憶する履歴情報記憶手段と、前記表記名称作成手段により前記表記名称が作成された場合に前記履歴情報記憶手段に前記履歴情報を記憶する履歴情報記憶制御手段とを備えたことを特徴とする構成となっている。
【０００９】
また、請求項４に係る発明のＣＡＤシステムでは、請求項３に記載の発明の構成に加えて、前記表記名称作成手段により前記図形要素の前記表記名称を作成する際に、当該図形要素についての前記履歴情報がすでに前記履歴情報記憶手段に記憶されている場合には、前記表記名称作成手段により前記図形要素の前記表記名称の作成を行わず、前記履歴情報記憶手段に前記履歴情報を記憶しないことを特徴とする構成となっている。
【００１０】
また、請求項５に係る発明のＣＡＤシステムでは、請求項３又は４に記載の発明の構成に加えて、前記履歴情報記憶手段に記憶されている前記履歴情報を検索する履歴情報検索手段を備えたことを特徴とする構成となっている。
【００１１】
また、請求項６に係る発明の端末装置では、請求項１乃至５のいずれかに記載のＣＡＤシステムを搭載したことを特徴とする構成となっている。
【発明の効果】
【００１２】
請求項１に係る発明のＣＡＤシステムでは、説明情報記憶手段は、画層及び図形要素毎に、画層及び図形要素の名前、識別符号、作成日付、作成者、説明文言のうちの少なくとも１つを含む説明情報を記憶し、画層作成手段は、画層を作成すると共に、作成した画層の説明情報を説明情報記憶手段に記憶し、図形要素作成手段は、図形要素を作成すると共に、作成した図形要素の説明情報を説明情報記憶手段に記憶し、見本ＣＡＤ図面データは、画層作成手段及び図形要素作成手段により作成された画層及び図形要素を有し、検索指示手段は、見本ＣＡＤ図面データに属する画層又は図形要素の検索を指示し、第１検索手段は、検索指示手段により検索の指示が行われた場合に、説明情報記憶手段に記憶されている画層又は図形要素の説明情報を検索し、第２検索手段は、第１検索手段により検索された画層又は図形要素の説明情報に対応する画層又は図形要素を見本ＣＡＤ図面データから検索し、表示制御手段は、第２検索手段により検索された画層又は図形要素を画面に表示し、選択手段は、画面に表示された画層又は図形要素から少なくとも１つを選択し、表記名称作成用情報記憶手段は、選択手段で選択された画層又は図形要素の説明情報の内容のうちの少なくとも１つの内容を記憶し、画層追加手段は、選択手段で選択された画層を作成中のＣＡＤ図面データに追加し、図形要素追加手段は、選択手段で選択された図形要素を作成中のＣＡＤ図面データに追加し、表記名称作成指示手段は、図形要素を他の図形要素と識別可能な名称である表記名称を文字要素として作成することを指示し、表記名称決定手段は、表記名称作成指示手段の指示により文字要素が作成された場合に、表記名称作成情報記憶手段に記憶されている表記名称作成情報に基づいて表記名称を決定し、表示名称作成手段は、図形要素の表示名称を文字要素として作成中のＣＡＤ図面データに作成することができる。
【００１３】
したがって、画層及び図形要素に関する説明情報を有する見本ＣＡＤ図面データを作成することができる。そして、その説明情報を検索することにより、見本ＣＡＤ図面データから画層又は図形要素を検索することができる。よって、画層又は図形要素を検索する際には、説明情報の内容により細かい条件設定をすることができるので、作成中のＣＡＤ図面データに追加したい画層又は図形要素を簡単に選択することができる。さらに、表記名称作成情報に基づいて図形要素の表記名称が決定されるので、ＣＡＤ図面データを作成する作成者個人の感覚や習慣に拠らず、ルールに沿った表記名称が作成される。
【００１４】
また、請求項２に係る発明のＣＡＤシステムでは、請求項１に記載の発明の効果に加えて、表記名称決定手段は、作成中のＣＡＤ図面データの画層の表記名称作成情報の内容、及び、表記名称を決定する図形要素の表記名称作成情報の内容のうちの少なくとも２つを組み合わせて図形要素の表記名称を決定することができる。したがって、表記名称作成情報の内容、すなわち表記名称作成情報の基となっている説明情報の内容を表記名称として文字要素として表示することができるので、同じ形の図形要素であったとしてもその図形要素の特性や仕様等の内容を明示でき、それぞれの図形要素を一目で識別することができる。
【００１５】
また、請求項３に係る発明のＣＡＤシステムでは、請求項１又は２に記載の発明の効果に加えて、履歴情報記憶手段は、表記名称決定手段により決定された表記名称、表記名称作成手段により表記名称が作成された図形要素の説明情報、及び、作成中のＣＡＤ図面データの画層の表記名称作成情報の要素のうちの少なくとも１つを履歴情報として記憶し、履歴情報記憶制御手段は、表記名称作成手段により表記名称が作成された場合に履歴情報記憶手段に履歴情報を記憶することができる。したがって、表記名称作成の履歴を記録することができる。
【００１６】
また、請求項４に係る発明のＣＡＤシステムでは、請求項３に記載の発明の効果に加えて、表記名称作成手段により図形要素の表記名称を作成する際に、図形要素についての履歴情報がすでに履歴情報記憶手段に記憶されている場合には、表記名称作成手段により図形要素の表記名称の作成を行わず、履歴情報記憶手段に履歴情報を記憶しないようにできる。したがって、一度付けられた表記名称が作成されようとする場合には、表記名称の生成を中止することができる。また、この際には、作成されようとしている表記名称が既に作成されたことがあることを警告するような警告手段を設けてもよい。
【００１７】
また、請求項５に係る発明のＣＡＤシステムでは、請求項３又は４に記載の発明の効果に加えて、履歴情報検索手段は、履歴情報記憶手段に記憶されている履歴情報を検索することができる。したがって、表記名称作成処理をする前に、すでにその表記名称の図形要素が存在するかしないかを知ることができる。また、既に作成されている表記名称についての情報を知ることができる。
【００１８】
また、請求項６に係る発明の端末装置では、請求項１乃至５のいずれかに記載のＣＡＤシステムを搭載することができる。したがって、本発明の端末装置では、画層及び図形要素に関する説明情報を有する見本ＣＡＤ図面データを作成することができる。そして、その説明情報を検索することにより、見本ＣＡＤ図面データから画層又は図形要素を検索することができる。よって、画層又は図形要素を検索する際には、説明情報の内容により細かい条件設定をすることができるので、作成中のＣＡＤ図面データに追加したい画層又は図形要素を簡単に選択することができる。さらに、表記名称作成情報に基づいて図形要素の表記名称が決定されるので、ＣＡＤ図面データを作成する作成者個人の感覚や習慣に拠らず、ルールに沿った表記名称が作成される。また、表記名称作成情報の内容、すなわち表記名称作成情報の基となっている説明情報の内容を表記名称として文字要素として表示することができるので、同じ形の図形要素であったとしてもその図形要素の特性や仕様等の内容を明示でき、それぞれの図形要素を一目で識別することができる。したがって、一度付けられた表記名称が作成されようとする場合には、表記名称の生成を中止することができる。また、この際には、作成されようとしている表記名称が既に作成されたことがあることを警告するような警告手段を設けてもよい。また、表記名称作成処理をする前に、すでにその表記名称の図形要素が存在するかしないかを知ることができる。また、既に作成されている表記名称についての情報を知ることができる。
【発明を実施するための最良の形態】
【００１９】
以下、本発明の実施の形態を図面を参照して説明する。本実施の形態では、地域イントラネットの敷設事業における１図面を例に挙げて本発明のＣＡＤシステムの説明を行う。図１は、黒須市の地域イントラネット敷設事業における、黒須小学校の西校舎１Ｆの多目的室及び職員室の平面図のイメージ図である。本実施の形態では、この図面を作成図面２として、本発明の説明を行う。尚、本実施の形態では、ＣＡＤ図面データ作成のソフトウェアとして、ＡｕｔｏＣＡＤ（登録商標）を使用する。
【００２０】
ここで、図１乃至図４を参照して、ＣＡＤ図面の成り立ちについて説明する。図２は、作成図面２のレイヤの概念図であり、図３は、作成図面２の施設レイヤ２０５のみのイメージ図であり、図４は、作成図面２の機器レイヤ２０６のみのイメージ図である。ＣＡＤ図面は、１以上のレイヤから構成されており、各レイヤ上に設計者は作図を行う。このレイヤは、作図の効率のためにレイヤ毎に図面上の役割を決め、各図面の役割に合った図をレイヤ上に作成し、全てのレイヤを重ね合わせて１つの図面を表示させるという様に使用されている。尚、このレイヤが「画層」に該当する。図２に示す様に、作成図面２は、１層目に「０」レイヤ２０１、２層目に「黒須市」レイヤ２０２、３層目に「地域イントラ」レイヤ２０３、４層目に「黒須小」レイヤ２０４、５層目に「西校舎１Ｆ」レイヤ２０５、６層目に「機器」レイヤ２０６、７層目に「配線」レイヤ２０７、８層目に「枠」レイヤ２０８、９層目に「文字」レイヤ２０９、１０層目に「その他」レイヤ２１０の１０枚のレイヤを持っている。これらのレイヤは、それぞれに役割が与えられており、例えば、図３に示す施設レイヤ２０５では、施設の平面図のみが作図されている。また、図４に示す機器レイヤ２０６では、機器のみが作図されている。このようにして、各レイヤ毎に作図されたすべての図を重ね合わせると、図１に示す作成図面２が形成される。
【００２１】
また、ＡｕｔｏＣＡＤでは、コマンドを入力することにより、レイヤ上に線分、ポリゴン、円、ポリライン、文字、寸法等のオブジェクトを作成することができる。また、これらを結合してブロックとして一塊で扱うことができ、ＣＡＤ図面上の定義テーブルに、名前、基点、結合されるオブジェクトの種類等の情報が記憶される。さらに、文字情報を格納するオブジェクトとして、属性という機能がある。この属性には属性名称が付けられ、属性名称に関連付けられた文字情報が属性値として記憶される。この属性も他のオブジェクトと同様にブロック化することができる。
【００２２】
尚、本実施の形態では、属性定義を含むブロックのうち、パソコンやプリンタ、ＬＡＮスイッチ等の機器を示すものを「シンボル」と表現し、光ケーブルやＬＡＮケーブルのよいうに線で表現されるものを「ケーブル」と表現し、このシンボル及びケーブルが「図形要素」に該当する。
【００２３】
ここで、本実施の形態での図面作成の手順及びデータの種類について、図５及び図６を参照して説明する。図５は、本発明のＣＡＤシステムのデータ構成の概念図である。図６は、本実施の形態での図面作成の手順のフローチャートである。
【００２４】
本実施の形態では、本発明のＣＡＤシステム提供者が、予め見本図面１を作成し、黒須市の地域イントラネット敷設事業の図面を作成する作成者は、見本図面１を参照して作成図面２を作成する。提供者が見本図面１を作成する際には、ＡｕｔｏＣＡＤのコマンドだけではなく、開発コマンドが用いられる。この開発コマンドでは、本発明の要部である図形要素の表記名称生成で使用されるインデックスデータベース（以下、インデックスＤＢと略す）１０を作成したり、更新したりする。尚、本実施の形態の見本図面１が「ＣＡＤ見本図面データ」に該当し、見本図面１及び作成図面２はＣＡＤ図面データである。
【００２５】
インデックスＤＢ１０には、レイヤについての情報が記憶されるレイヤインデックスＤＢ１１、シンボルについての情報が記憶されるシンボルインデックスＤＢ１２、ケーブルについての情報が記憶されるケーブルインデックスＤＢ１３の３種がある。尚、本実施の形態のインデックスＤＢ１０のデータ形式はデータベース形式であるが、データ形式は各種データベース形式に限らず、csv形式のテキスト形式、タブ区切りのテキスト形式等であってもよい。尚、インデックスＤＢ１０が「説明情報」に該当する。
【００２６】
そして、各図面作成者が作成図面２を作成する際には、開発コマンドを用いて、インデックスＤＢ１０を検索して、レイヤ、シンボル、ケーブルを作成図面２に挿入する。また、開発コマンドにより挿入されたシンボル及びケーブルの詳細な内容を表示するための表記名称作成が行われ、作成された表記名称は文字情報としてレイヤ上に配置される。
【００２７】
また、見本図面１において、新しいシンボルやケーブルが作成された場合には、履歴情報３ａに情報が記憶され、作成図面２において、表記名称が配置された場合には、履歴情報３ｂに情報が記憶される。尚、本実施の形態では、この履歴情報もデータ形式はデータベース形式であるが、各種データベース形式に限らず、csv形式のテキスト形式、タブ区切りのテキスト形式等であってもよい。
【００２８】
ここで、図６に示すフローチャートを参照して、作成図面２の作成の手順を説明する。作成者は、まずＣＡＤシステム提供者から入手した見本図面１をＣＡＤシステムが搭載されている端末装置５（図７参照）から読める状態にする（Ｓ１）。具体的には、端末装置５のハードディスク装置５８（図７参照）に保存したり、見本図面１が記憶されている記憶媒体（例えば、ＣＤ−ＲＯＭ、フレキシブルディスク、ＭＯなど）を端末装置５の読取装置にセットする。また、端末装置５がネットワークに接続している場合には、ネットワーク上の閲覧可能な位置に見本図面１を記憶する。
【００２９】
次いで、ＣＡＤシステムを起動して、新規のＣＡＤ図面を開く（Ｓ２）。そして、レイヤ検索コマンド（例えば、Ｆ＿ＬＡＹＥＲとする）を実行して、見本図面１からレイヤを挿入し、レイヤ名を適宜修正する（Ｓ３）。この見本図面１のレイヤ名は、どこの自治体でも見本図面１を使用できるような名前が付けられる。例えば、２層目は「自治体」、３層目は「事業名」、４層目は「工事区名」、５層目は「工事区内詳細」というような名前がつけられる。そこで、図２に示したような、黒須市の地域イントラネット敷設事業の黒須小学校の西校舎１Ｆの設計図面を作成する場合には、２層目の「自治体」を「黒須市」、３層目の「事業名」を「地域イントラ」、４層目の「工事区名」を「黒須小学校」、５層目の「工事区内詳細」を「西校舎１Ｆ」というように、作成する図面の内容を識別できるような名前にレイヤ名を適宜修正する。
【００３０】
次いで、各レイヤ上に図面を作成する（Ｓ４）。ここでは、シンボル検索コマンド（例えば、「Ｆ＿ＳＹＭＢＯＬ」とする）やケーブル検索コマンド（例えば、「Ｆ＿ＣＡＢＬＥ」とする）を使用して、シンボルやケーブルを見本図面１から挿入する。そして、表記名称表示コマンド（例えば、「Ｃ＿ＮＡＭＥ」とする）を実行して、全てのシンボル及びケーブルの表記名称の表示を行う（Ｓ５）。図面の作成が終了したら、作成したＣＡＤ図面（作成図面２）を保存して、ＣＡＤソフトを終了させる（Ｓ６）。
【００３１】
次に、図７及び図８を参照して、端末装置５の電気的構成について説明する。図７は、端末装置５の電気的構成を示すブロック図である。図８は、端末装置５のＲＡＭ５１の概念図である。
【００３２】
次に、図７のブロック図を参照して、端末装置５の電気的構成について説明する。図７に示すように、端末装置５には、端末装置５の制御を司るＣＰＵ５０が設けられ、ＣＰＵ５０には、各種のデータを一時的に記憶するＲＡＭ５１と、ＢＩＯＳ等を記憶したＲＯＭ５２と、データの受け渡しの仲介を行うＩ／Ｏインタフェイス５３とが接続されている。Ｉ／Ｏインタフェイス５３には、ハードディスク装置５８が接続され、当該ハードディスク装置５８には、見本図面１を記憶する見本図面データ記憶エリア５８１と、作成図面２を記憶する作成図面データ記憶エリア５８２と、インデックスＤＢ１０を記憶するインデックスＤＢ記憶エリア５８３と、履歴情報３ｂを記憶する履歴情報記憶エリア５８４と、開発コマンド等を実行するマクロプログラムを含むＣＡＤシステムプログラム等のプログラムを記憶するプログラム記憶エリア５８５と、その他の情報記憶エリア５８６とが設けられている。
【００３３】
また、Ｉ／Ｏインタフェイス５３には、ビデオコントローラ５４と、キーコントローラ５５と、ＣＤ−ＲＯＭドライブ５６と、マウス５７とが接続され、ビデオコントローラ５４にはディスプレイ５９が接続され、キーコントローラ５５にはキーボード６０が接続されている。なお、ＣＤ−ＲＯＭドライブ５６に挿入されるＣＤ−ＲＯＭ６１には、開発コマンド等を実行するマクロプログラムを含むＣＡＤシステムプログラムが記憶されており、導入時には、制御プログラムは、ＣＤ−ＲＯＭ６１から、ハードディスク装置５８にセットアップされてプログラム記憶エリア５８５に記憶されるようになっている。また、本実施の形態では、見本図面１もＣＤ−ＲＯＭ６１からハードディスク装置５８の見本図面データ記憶エリア５８１に記憶する。
【００３４】
次に、図８を参照して、ＲＡＭ５１の記憶エリアについて説明する。ＲＡＭ５１には、レイヤメモリテーブル記憶エリア５１１、シンボル記憶エリア５１２、ケーブル記憶エリア５１３、表記名称記憶エリア５１４、その他の一時記憶エリア５１５が設けられている。レイヤメモリテーブル記憶エリア５１１は、表記名称生成が行われる際に作成図面２上にあるレイヤの情報が記憶される（図２８参照）。また、シンボル記憶エリア５１２には、シンボルの表記名称の生成が行われる際に、表記名称の生成を行うシンボルの属性が記憶される（図２９参照）。また、ケーブル記憶エリア５１３には、ケーブルの表記名称の生成が行われる際に、表記名称の生成を行うケーブルの属性が記憶される（図３０参照）。また、表記名称記憶エリア５１４は、シンボル又はケーブルの表記名称を生成する際に使用される。その他の一時記憶エリア５１５には、ＣＡＤシステムが実行される際に一時的に記憶される種々の情報が記憶される。尚、ＲＡＭ５１には、これらの他に図示外の種々の記憶エリアが存在する。
【００３５】
次に、各情報について説明する。図９は、レイヤインデックスＤＢ１１の概念図であり、図１０は、シンボルインデックスＤＢ１２の概念図であり、図１１は、ケーブルインデックスＤＢ１３の概念図であり、図１２は、見本図面１作成時に作成される履歴情報３ａの概念図であり、図１３は、作成図面２作成時に作成される履歴情報３ｂの概念図である。
【００３６】
次に、図９を参照して、レイヤインデックスＤＢ１１について説明する。レイヤインデックスＤＢ１１には、レイヤ管理番号欄、レイヤ名欄、登録者欄、登録日欄が設けられている。
【００３７】
図９に示す例では、レイヤ管理番号「１００１００１」は、レイヤ名「０」、登録者「見本担当００１」、登録日は２００３年７月２３日であり、レイヤ管理番号「１００２００１」は、レイヤ名「自治体名」、登録者「見本担当００１」、登録日は２００３年７月２３日であり、レイヤ管理番号「１００３００１」は、レイヤ名「事業名」、登録者「見本担当００１」、登録日は２００３年７月２３日であり、レイヤ管理番号「１００４００１」は、レイヤ名「工事区名」、登録者「見本担当００１」、登録日は２００３年７月２３日であり、レイヤ管理番号「１００５００１」は、レイヤ名「工事区内詳細」、登録者「見本担当００１」、登録日は２００３年７月２３日であり、レイヤ管理番号「１００６００１」は、レイヤ名「機器」、登録者「見本担当００１」、登録日は２００３年７月２３日であり、レイヤ管理番号「１００７００１」は、レイヤ名「配線」、登録者「見本担当００１」、登録日は２００３年７月２３日であり、レイヤ管理番号「１００８００１」は、レイヤ名「枠」、登録者「見本担当００１」、登録日は２００３年７月２３日であり、レイヤ管理番号「１００９００１」は、レイヤ名「文字」、登録者「見本担当００１」、登録日は２００３年７月２３日であり、レイヤ管理番号「１０１０００１」は、レイヤ名「その他」、登録者「見本担当００１」、登録日は２００３年７月２３日である。尚、以下のデータについては省略されている。
【００３８】
次に、図１０を参照して、シンボルインデックスＤＢ１２について説明する。シンボルインデックスＤＢ１２には、シンボル管理番号欄、シンボル名欄、種類欄、仕様欄、特記仕様欄、登録者欄、登録日欄が設けられている。
【００３９】
図１０に示す例では、シンボル管理番号「１００１００１」は、シンボル名「ＰＣ−Ｐ３−０１」、種類欄「パソコン」、仕様欄「ＰＥＮ３−１Ｇｈｚ：メモリ２５６ＭＢ：ＨＤＤ２０ＧＢ」、登録者「見本担当００１」、登録日は２００３年７月２３日であり、特記仕様欄には何も記憶されていない。シンボル管理番号「１００２００１」は、シンボル名「ＰＣ−Ｐ３−０２」、種類欄「パソコン」、仕様欄「ＰＥＮ３−１Ｇｈｚ：メモリ２５６ＭＢ：ＨＤＤ３０ＧＢ」、特記仕様欄「無線ＬＡＮカード」、登録者「見本担当００１」、登録日は２００３年７月２３日である。
【００４０】
シンボル管理番号「１００３００１」は、シンボル名「ＰＲＴ−ＬＳ−０２」、種類欄「プリンタ」、仕様欄「白黒：９６００×６００：２０ＰＰＭ」、登録者「見本担当００１」、登録日は２００３年７月２３日であり、特記仕様欄には何も記憶されていない。シンボル管理番号「１００４００１」は、シンボル名「クロージャ」、種類欄「光配線」、仕様欄「光ケーブル：地中用」、登録者「見本担当００２」、登録日は２００３年７月２３日であり、特記仕様欄には何も記憶されていない。シンボル管理番号「１００５００１」は、シンボル名「クロージャ」、種類欄「光配線」、仕様欄「光ケーブル：架空用」、登録者「見本担当００２」、登録日は２００３年７月２３日であり、特記仕様欄には何も記憶されていない。尚、以下のデータについては省略されている。
【００４１】
次に、図１１を参照して、ケーブルインデックスＤＢ１３について説明する。ケーブルインデックスＤＢ１３には、ケーブル管理番号欄、ケーブル名欄、種類欄、仕様欄、特記仕様欄、登録者欄、登録日欄が設けられている。
【００４２】
図１１に示す例では、ケーブル管理番号「１００１００１」は、ケーブル名「架線」、種類欄「螺旋形状架線」、仕様欄「チェーンコイル」、登録者「見本担当００２」、登録日は２００３年７月２３日であり、特記仕様欄には何も記憶されていない。ケーブル管理番号「１００２００１」には、ケーブル名「光ケーブル」、種類欄「８芯光ケーブル」、仕様欄「ＳＭテープ芯線」、登録者「見本担当００２」、登録日は２００３年７月２３日であり、特記仕様欄には何も記憶されていない。尚、以下のデータについては省略されている。
【００４３】
次に、図１２及び図１３を参照して履歴情報３について説明する。履歴情報には、履歴管理番号欄、種別欄、レイヤ欄、名前欄、種類欄、仕様欄、特記仕様欄、登録者欄、登録日欄が設けられている。種別欄には、見本図面１作成時には「１」が記憶され、作成図面２作成時には「２」が記憶される。また、レイヤ欄にはそのシンボル又はケーブルが配置されているレイヤ及びそのレイヤよりも下層のレイヤの名前が記憶される。
【００４４】
図１２に示す例では、見本図面１作成時に作成される履歴情報３ａの履歴管理番号「００００１」の種別は「１」、レイヤは「自治体名」、「事業名」、「工事区名」、「工事区内詳細」、「機器」であり、名前欄「ＰＣ−Ｐ３−０１」、種類欄「パソコン」、仕様欄「ＰＥＮ３−１Ｇｈｚ：メモリ２５６ＭＢ：ＨＤＤ２０ＧＢ」、登録者「見本担当００１」、登録日は２００３年７月２３日であり、特記仕様欄には何も記憶されていない。履歴管理番号「００００２」の種別は「１」、レイヤは「自治体名」、「事業名」、「工事区名」、「工事区内詳細」、「機器」であり、名前欄「ＰＣ−Ｐ３−０２」、種類欄「パソコン」、仕様欄「ＰＥＮ３−１Ｇｈｚ：メモリ２５６ＭＢ：ＨＤＤ３０ＧＢ」、特記仕様欄「無線ＬＡＮカード」、登録者「見本担当００１」、登録日は２００３年７月２３日である。
【００４５】
履歴管理番号「００００３」の種別は「１」、レイヤは「自治体名」、「事業名」、「工事区名」、「工事区内詳細」、「機器」であり、名前欄「ＰＲＴ−ＬＳ−０２」、種類欄「プリンタ」、仕様欄「白黒：９６００×６００：２０ＰＰＭ」、登録者「見本担当００１」、登録日は２００３年７月２３日であり、特記仕様欄には何も記憶されていない。履歴管理番号「００００４」の種別は「１」、レイヤは「自治体名」、「事業名」、「工事区名」であり、名前欄「クロージャ」、種類欄「光配線」、仕様欄「光ケーブル：地中用」、登録者「見本担当００２」、登録日は２００３年７月２３日であり、特記仕様欄には何も記憶されていない。履歴管理番号「００００５」の種別は「１」、レイヤは「自治体名」、「事業名」、「工事区名」であり、名前欄「クロージャ」、種類欄「光配線」、仕様欄「光ケーブル：架空用」、登録者「見本担当００２」、登録日は２００３年７月２３日であり、特記仕様欄には何も記憶されていない。
【００４６】
履歴管理番号「００００６」の種別は「１」、レイヤは「自治体名」、「事業名」、「工事区名」であり、名前欄「架線」、種類欄「螺旋形状架線」、仕様欄は「チェーンコイル」、登録者「見本担当００２」、登録日は２００３年７月２３日であり、特記仕様欄には何も記憶されていない。履歴管理番号「００００７」の種別は「１」、レイヤは「自治体名」、「事業名」、「工事区名」、「工事区内詳細」、「配線」であり、名前欄「光ケーブル」、種類欄「８芯光ケーブル」、仕様欄は「ＳＭテープ芯線」、登録者「見本担当００２」、登録日は２００３年７月２３日であり、特記仕様欄には何も記憶されていない。尚、以下のデータについては省略されている。
【００４７】
図１３に示す例では、作成図面２作成時に作成される履歴情報３ｂの履歴管理番号「００００１」の種別は「２」、レイヤは「黒須市」、「地域イントラ」、「黒須小」、「西校舎１Ｆ」、「機器」であり、名前欄「ＰＣ−Ｐ３−０１」、種類欄「パソコン」、仕様欄「ＰＥＮ３−１Ｇｈｚ：メモリ２５６ＭＢ：ＨＤＤ２０ＧＢ」、登録者「黒須市担当０１」、登録日は２００３年９月２２日であり、特記仕様欄には何も記憶されていない。履歴管理番号「００００２」の種別は「２」、レイヤは「黒須市」、「地域イントラ」、「黒須小」、「西校舎１Ｆ」、「機器」であり、名前欄「ＰＣ−Ｐ３−０２」、種類欄「パソコン」、仕様欄「ＰＥＮ３−１Ｇｈｚ：メモリ２５６ＭＢ：ＨＤＤ３０ＧＢ」、特記仕様欄は「無線ＬＡＮカード」、登録者「黒須市担当０１」、登録日は２００３年９月２２日である。
【００４８】
履歴管理番号「００００３」の種別は「２」、レイヤは「黒須市」、「地域イントラ」、「黒須小」、「西校舎１Ｆ」、「機器」であり、名前欄「ＰＲＴ−ＬＳ−０２」、種類欄「プリンタ」、仕様欄「白黒：９６００×６００：２０ＰＰＭ」、登録者「黒須市担当０１」、登録日は２００３年９月２２日であり、特記仕様欄には何も記憶されていない。履歴管理番号「００００４」の種別は「２」、レイヤは「黒須市」、「地域イントラ」、「黒須小」、「西校舎１Ｆ」、「配線」であり、名前欄「光ケーブル」、種類欄「８芯光ケーブル」、仕様欄は「ＳＭテープ芯線」、登録者「黒須市担当０１」、登録日は２００３年９月２２日であり、特記仕様欄には何も記憶されていない。尚、以下のデータについては省略されている。
【００４９】
ここで、図１４乃至図２０を参照して、見本図面１の作成時に使用されるコマンドについて説明する。本実施の形態では、「Ｐ＿ＬＡＹＥＲ」、「Ｐ＿ＳＹＭＢＯＬＲＥＧＩＳＴ」、「Ｐ＿ＳＹＭＢＯＬＤＲＡＷ」、「Ｐ＿ＳＹＭＢＯＬＥＤＩＴ」、「Ｐ＿ＣＡＢＬＥＤＲＡＷ」、「Ｐ＿ＣＡＢＬＥＥＤＩＴ」の６種類のコマンドを使用する。これらのコマンドは、ＡｕｔｏＣＡＤ（登録商標）のコマンドを入力するコマンドウィンドウに入力される。
【００５０】
「Ｐ＿ＬＡＹＥＲ」はレイヤを新規に作成しつつ、レイヤインデックスＤＢ１１にデータを追加する。「Ｐ＿ＳＹＭＢＯＬＲＥＧＩＳＴ」は属性値を設定し、複数のオブジェクトをブロック化し、シンボルインデックスＤＢ１２にデータを追加する。「Ｐ＿ＳＹＭＢＯＬＤＲＡＷ」は「Ｐ＿ＳＹＭＢＯＬＲＥＧＩＳＴ」で作成されたシンボルから１つを選択し、作成図面２に配置する。「Ｐ＿ＳＹＭＢＯＬＥＤＩＴ」は選択したシンボルの属性を変更し、更にシンボルインデックスＤＢ１２のデータを変更内容に合わせて変更する。「Ｐ＿ＣＡＢＬＥＤＲＡＷ」はポリラインを作成図面２上に描画し、さらに属性を定義して描画したポリラインとブロック化し、ケーブルインデックスＤＢ１３にデータを追加する。「Ｐ＿ＣＡＢＬＥＥＤＩＴ」は選択したケーブルの属性を変更し、更にケーブルインデックスＤＢ１３のデータを変更内容に合わせて変更する。
【００５１】
図１４は、「Ｐ＿ＬＡＹＥＲ」コマンド実行時に表示されるレイヤ作成画面１１０のイメージ図である。図１５は、「Ｐ＿ＬＡＹＥＲ」コマンド実行時のレイヤ作成処理のフローチャートである。図１６は、「Ｐ＿ＳＹＭＢＯＬＲＥＧＩＳＴ」コマンド実行時に表示されるシンボル作成画面１２０のイメージ図である。図１７は、「Ｐ＿ＳＹＭＢＯＬＲＥＧＩＳＴ」コマンド実行時のシンボル作成処理のフローチャートである。図１８は、「Ｐ＿ＣＡＢＬＥＤＲＡＷ」コマンド実行時に表示されるケーブル作成画面１３１のイメージ図である。図１９は、「Ｐ＿ＣＡＢＬＥＤＲＡＷ」コマンド実行時に表示されるケーブル属性入力画面１３２のイメージ図である。図２０は、「Ｐ＿ＣＡＢＬＥＤＲＡＷ」コマンド実行時のケーブル作図処理のフローチャートである。
【００５２】
まず、図１４及び図１５を参照して、「Ｐ＿ＬＡＹＥＲ」コマンドについて説明する。図１４に示すように、レイヤ作成画面１１０には、管理番号欄、レイヤ名欄、登録者欄が入力欄として設けられており、その下には「ＯＫ」ボタン及び「キャンセル」ボタンが設けられている。図１４に示す例では、管理番号欄には「１００２００１」、レイヤ名欄には「自治体名」、登録者欄には「見本担当００１」が入力されている。
【００５３】
「Ｐ＿ＬＡＹＥＲ」コマンドが実行されると、レイヤ作成画面１１０が表示される（Ｓ１０）。そして、「ＯＫ」ボタンが選択されたか否かの判断が行われる（Ｓ１１）、「ＯＫ」ボタンが選択されていない場合には（Ｓ１１：ＮＯ）、「キャンセル」ボタンが選択されたか否かの判断が行われる（Ｓ１４）。そして、「キャンセル」ボタンも選択されていない場合には（Ｓ１４：ＮＯ）、Ｓ１１へ戻り、再び「ＯＫ」ボタンが選択されたか否かの判断が行われる（Ｓ１１）。そして、「ＯＫ」ボタンが選択された場合には（Ｓ１１：ＹＥＳ）、作成図面２上にレイヤ名欄に入力された名前のレイヤが新規で作成され（Ｓ１２）、レイヤインデックスＤＢ１１にレイヤ作成画面１１０に入力された内容のデータが追加される（Ｓ１３）。尚、登録日は本日日付が記憶される。図１４に示す例では、「自治体名」という名前のレイヤが作成される。そして、処理を終了する。尚、「キャンセル」ボタンが選択された場合には（Ｓ１４：ＹＥＳ）、処理は終了する。
【００５４】
次に、図１６及び図１７を参照して、「Ｐ＿ＳＹＭＢＯＬＲＥＧＩＳＴ」コマンドについて説明する。図１６に示すように、シンボル作成画面１２０には、管理番号欄、シンボル名欄、種類欄、仕様欄、特記仕様欄、登録者欄が入力項目として設けられており、その下には「ＯＫ」ボタン及び「キャンセル」ボタンが設けられている。ここで種類欄は、プルダウンメニューとなっており、予め登録されている種類の中から選択するようになっている。図１６に示す例では、パソコンが表示されているが、この他の例としては、プリンタ、光配線、収納箱、大型ディスプレイ、ＬＡＮスイッチ等がある。また、管理番号欄には「１００１００１」、シンボル名欄には「ＰＣ−Ｐ３−０１」、仕様欄には「ＰＥＮ３−１Ｇｈｚ：メモリ２５６ＭＢ：ＨＤＤ２０ＧＢ」、特記仕様欄には何も入力されておらず、登録者には「見本担当００１」が入力されている。
【００５５】
「Ｐ＿ＳＹＭＢＯＬＲＥＧＩＳＴ」コマンドが実行されると、まずシンボル作成画面１２０が表示される（Ｓ２０）。「ＯＫ」ボタンが選択されたか否かの判断が行われる（Ｓ２１）、「ＯＫ」ボタンが選択されていない場合には（Ｓ２１：ＮＯ）、「キャンセル」ボタンが選択されたか否かの判断が行われる（Ｓ２７）。そして、「キャンセル」ボタンも選択されていない場合には（Ｓ２７：ＮＯ）、Ｓ２１へ戻り、再び「ＯＫ」ボタンが選択されたか否かの判断が行われる（Ｓ２１）。そして、「ＯＫ」ボタンが選択された場合には（Ｓ２１：ＹＥＳ）、シンボルとする図形オブジェクトが選択されているか否かの判断が行われる（Ｓ２２）。選択されていない場合には（Ｓ２２：ＮＯ）、「シンボルとする図形を選択して下さい」等のシンボルとする図形オブジェクトを選択するように促すエラーメッセージが表示され（Ｓ２６）、Ｓ２１へ戻る。
【００５６】
シンボルとする図形オブジェクトが選択されている場合には（Ｓ２２：ＹＥＳ）、入力データが属性値として設定され（Ｓ２３）、選択されている図形オブジェクトと属性設定をブロック化されて（Ｓ２４）、シンボルインデックスＤＢ１２にシンボル作成画面１２０に入力された内容のデータが追加される（Ｓ２５）。尚、登録日は本日日付が記憶される。図１６に示す例では、シンボル名が「ＰＣ−Ｐ３−０１」であり、属性値として種類「パソコン」、仕様「ＰＥＮ３−１Ｇｈｚ：メモリ２５６ＭＢ：ＨＤＤ２０ＧＢ」、登録者「見本担当００１」というシンボルが作成される。そして、処理を終了する。尚、「キャンセル」ボタンが選択された場合には（Ｓ２７：ＹＥＳ）、処理は終了する。
【００５７】
次に、図１８乃至図２０を参照して、「Ｐ＿ＣＡＢＬＥＤＲＡＷ」コマンドについて説明する。図１８に示すように、ケーブル作成画面１３１には、ケーブル種類欄とケーブル種類欄で選択されているケーブル種類で描画することのできるケーブルの一覧を表示する一覧欄が設けられている。そして、その下には「描画」ボタン及び「キャンセル」ボタンが設けられている。ここで、ケーブル種類欄はプルダウンメニューとなっており、予め設定されているケーブル種類から選択するようになっている。また、一覧欄には、ケーブル名及び仕様が表示される。図１８に示す例では、ケーブル種類として「８芯光ケーブル」が選択されており、一覧欄には、ケーブル名「光ケーブル」の仕様が「ＳＭテープ芯線」のケーブルが表示されている。そして、一覧欄から１つのケーブルを選択し、描画ボタンを選択すると、見本図面１の作図領域で選択したケーブルを描画することができる。
【００５８】
図１９に示すように、ケーブル属性入力画面１３２には、仕様欄、特記仕様欄、登録者欄が設けられており、その下には「ＯＫ」ボタン及び「キャンセル」ボタンが設けられている。このケーブル属性入力画面１３２は、ケーブルの描画が終了すると表示される。ここで、作成者は描画したケーブルの詳細な使用を必要であれば入力することができる。尚、予め登録されている仕様や特記仕様があれば、それが表示される。図１９に示す例では、仕様欄には「ＳＭテープ芯線」と表示されており、特記仕様欄には何も入力されておらず、登録者には「見本担当００２」と入力されている。
【００５９】
「Ｐ＿ＣＡＢＬＥＤＲＡＷ」コマンドが実行されると、ケーブル作成画面１３１が表示される（Ｓ３０）。そして、「作成」ボタンが選択されたか否かの判断が行われる（Ｓ３１）。「作成」ボタンが選択されていない場合には（Ｓ３１：ＮＯ）、「キャンセル」ボタンが選択されたか否かの判断が行われる（Ｓ４８）。そして、「キャンセル」ボタンが選択された場合には（Ｓ４８：ＹＥＳ）、処理を終了する。また、「キャンセル」ボタンも選択されていない場合には（Ｓ４８：ＮＯ）、Ｓ３１へ戻り、再び「作成」ボタンが選択されたか否かの判断が行われる（Ｓ３１）。
【００６０】
そして、「作成」ボタンが選択された場合には（Ｓ３１：ＹＥＳ）、ケーブル検索画面１３１の一覧欄で描画するケーブルの種類が選択されているか否かの判断が行われる（Ｓ３２）。ケーブルが選択されていない場合には（Ｓ３２：ＮＯ）、「ケーブルを選択して下さい」等のケーブルの選択を促すエラーメッセージが表示され（Ｓ４０）、Ｓ３２へ戻る。
【００６１】
ケーブルの種類が選択されている場合には（Ｓ３２：ＹＥＳ）、「始点を指定して下さい」等のケーブル描画の始点位置を見本図面１の作業領域内に指定するように指示するメッセージが表示される（Ｓ３３）。そして、始点位置が指定されたか否かの判断が行われる（Ｓ３４）。始点位置の指定が行われない場合には（Ｓ３４：ＮＯ）、繰り返し始点位置の指定が行われたか否かの判断が行われる（Ｓ３４）。そして、始点位置の指定が行われたら（Ｓ３４：ＹＥＳ）、始点位置がセットされる（Ｓ３５）。ここでセットされるのは、例えば、その他の一時記憶エリア５１５内に設けられている始点位置記憶用のエリアである。また、始点位置の指定は、作業領域内をマウスクリックすることにより行われても良いし、作業領域内の座標を入力する入力画面を表示して、数値を入力させるようにしても良く、従来のＣＡＤシステムにおいて、ポリラインの始点を指定する方法と同様の方法であってもよい。
【００６２】
次いで、「次の位置又は終点を指定して下さい」等の、次の点又は終点の位置指定を指示するメッセージが表示される（Ｓ３６）。そして、終点として指定されたか否かの判断が行われる（Ｓ３７）。終点として指定されていなければ（Ｓ３７：ＮＯ）、次の点として指定されたか否かの判断が行われる（Ｓ３８）。尚この指定も、作業領域内をマウスクリックすることにより行われても良いし、作業領域内の座標を入力する入力画面を表示して、数値を入力させるようにしても良く、従来のＣＡＤシステムにおいて、ポリラインの終点を指定する方法と同様の方法であってもよい。次の点としても指定されていない場合には（Ｓ３８：ＮＯ）、Ｓ３７へ戻り、繰り返し終点として指定されたか否かの判断が行われる（Ｓ３７）。
【００６３】
また、次の点として指定されていた場合には（Ｓ３８：ＹＥＳ）、次の点の位置がセットされて、作業領域に選択された種類のケーブルを表現するポリラインが表示される（Ｓ３９）。そしてＳ３６へ戻り、引き続き、次の点又は終点の位置指定を指示するメッセージが表示される（Ｓ３６）。尚この指定も、作業領域内をマウスクリックすることにより行われても良いし、作業領域内の座標を入力する入力画面を表示して、数値を入力させるようにしても良く、従来のＣＡＤシステムにおいて、ポリラインの終点を指定する方法と同様の方法であってもよい。また、終点と次の点との違いは、数値を入力させる際にプルダウンメニューによりどちらの点かを選ばせたり、終点の入力欄と次の点の入力欄を別々に設けたり、コマンドウィンドウにてどちらの点をマウスクリックするのか指定させてから入力させたり、クリックによりメニューウィンドウが表示されてどちらの点かを選択できるようにしたりしてもよい。
【００６４】
また、終点として指定された場合には（Ｓ３７：ＹＥＳ）、終点位置がセットされ、作業領域に選択された種類のケーブルを表現するポリラインが表示される（Ｓ４１）。そして、ケーブル属性入力画面１３２が表示される（Ｓ４２）。
【００６５】
そして、「ＯＫ」が選択されたか否かの判断が行われ（Ｓ４３）、「ＯＫ」ボタンが選択されていない場合には（Ｓ４３：ＮＯ）、「キャンセル」ボタンが選択されたか否かの判断が行われる（Ｓ４６）。「キャンセル」ボタンも選択されていない場合には（Ｓ４６：ＮＯ）、Ｓ４３へ戻り、再び「ＯＫ」ボタンが選択されたか否かの判断が行われる（Ｓ４３）。そして、「ＯＫ」ボタンが選択された場合には（Ｓ４３：ＹＥＳ）、ケーブル属性入力画面１３２に入力されたデータが属性値として設定され、ポリラインとグループ化される（Ｓ４４）。そして、ケーブルインデックスＤＢ１３に入力されたデータの内容のデータが追加される（Ｓ４５）。図１９に示す例では、属性値として仕様「ＳＭテープ芯線」、登録者「見本担当００２」が設定される。そして、処理を終了する。
【００６６】
また、「キャンセル」ボタンが選択された場合には（Ｓ４６：ＹＥＳ）、作業領域に表示したポリラインが削除されて（Ｓ４７）、処理を終了する。
【００６７】
尚、「Ｐ＿ＳＹＭＢＯＬＤＲＡＷ」が実行されると、既に作成されているシンボルの一覧及び「ＯＫ」ボタン、「キャンセル」ボタンが表示される。そして、作成者がマウス５７又はキーによりシンボルを選択し、「ＯＫ」ボタンを選択すると、そのシンボルの属性値及び「ＯＫ」ボタン、「キャンセル」ボタンが表示される。そして、あたらしく作成されるシンボルの属性値を入力して「ＯＫ」ボタンを選択すると、属性定義が変更され、シンボルインデックスＤＢ１２が作成され、シンボルが作成図面２上に配置される。
【００６８】
また、「Ｐ＿ＳＹＭＢＯＬＥＤＩＴ」が実行されると、選択されているシンボルの属性値及び「ＯＫ」ボタン、「キャンセル」ボタンが表示される。そして、変更する属性値が入力され、「ＯＫ」ボタンを選択されると、属性定義とシンボルインデックスＤＢ１２の内容が変更される。
【００６９】
また、「Ｐ＿ＣＡＢＬＥＥＤＩＴ」が実行されると、選択されているケーブルの属性値及び「ＯＫ」ボタン、「キャンセル」ボタンが表示される。そして、変更する属性値が入力され、「ＯＫ」ボタンが選択されると、属性定義とケーブルインデックスＤＢ１３の内容が変更される。
【００７０】
次に、図２１乃至図２６を参照して、見本図面１を参照して作成図面２を作成する際に使用されるコマンドについて説明する。本実施の形態では、「Ｆ＿ＬＡＹＥＲ」、「Ｆ＿ＳＹＭＢＯＬ」、「Ｆ＿ＣＡＢＬＥ」の３種類のコマンドを使用する。これらのコマンドは、ＡｕｔｏＣＡＤ（登録商標）のコマンドを入力するコマンドウィンドウに入力される。
【００７１】
「Ｆ＿ＬＡＹＥＲ」は見本図面１に存在しているレイヤを検索して、作成図面２に配置する。「Ｆ＿ＳＹＭＢＯＬ」は見本図面１に存在しているシンボルを検索して、作成図面２に配置する。「Ｆ＿ＣＡＢＬＥ」は見本図面１に存在しているポリラインを検索して、作成図面２に配置する。
【００７２】
図２１は、「Ｆ＿ＬＡＹＥＲ」コマンド実行時に表示されるレイヤ検索画面１０１のイメージ図である。図２２は、「Ｆ＿ＬＡＹＥＲ」コマンド実行時のレイヤ検索処理のフローチャートである。図２３は、「Ｆ＿ＳＹＭＢＯＬ」コマンド実行時に表示されるシンボル検索画面１０２のイメージ図である。図２４は、「Ｆ＿ＳＹＭＢＯＬ」コマンド実行時のシンボル検索処理のフローチャートである。図２５は、「Ｆ＿ＣＡＢＬＥ」コマンド実行時に表示されるケーブル検索画面１０３のイメージ図である。図２６は、「Ｆ＿ＣＡＢＬＥ」コマンド実行時のケーブル検索処理のフローチャートである。
【００７３】
まず図２１及び図２２を参照して、「Ｆ＿ＬＡＹＥＲ」コマンドについて説明する。図２１に示すように、レイヤ検索画面１０１には、検索文字欄、「実行」ボタン、検索結果欄、「配置」ボタン、「キャンセル」ボタンが設けられている。「実行」ボタンが選択されると、検索文字欄に入力されている文字に関するレイヤが、検索結果欄に表示される。そして、検索結果欄から１つのレイヤが選択され、「配置」ボタンが選択されると、作成図面２にレイヤが挿入される。尚、「キャンセル」ボタンが選択されると処理が終了する。図２１に示す例では、検索文字は「工事区」であり、検索結果欄には「工事区」と「工事区詳細」のレイヤが表示されている。
【００７４】
「Ｆ＿ＬＡＹＥＲ」コマンドが実行されると、まずレイヤ検索画面１０１が表示される（Ｓ６０）。そして、「実行」ボタンが選択されたか否かの判断が行われる（Ｓ６１）。「実行」ボタンが選択されなければ（Ｓ６１：ＮＯ）、繰り返し「実行」ボタンが選択されたか否かの判断が行われる（Ｓ６１）。そして、「実行」ボタンが選択された場合には（Ｓ６１：ＹＥＳ）、検索文字欄の検索文字が読み込まれ（Ｓ６２）、レイヤインデックスＤＢ１１から、検索文字を含むデータが検索されて（Ｓ６３）、検索結果欄へ表示される（Ｓ６４）。ここで、検索文字欄に入力する文字は、見本図面１のレイヤ名に含まれている文字でなくても、レイヤインデックスＤＢ１１のいずれかの項目に含まれている文字を入力すればよい。よって、作成者や作成日によっても検索することができる。図２１に示す例では、「工事区」をレイヤ管理番号、レイヤ名、登録者、登録日のいずれかに含むデータがレイヤインデックスＤＢ１１から検索される。
【００７５】
次いで、「配置」ボタンが選択されたか否かの判断が行われる（Ｓ６５）。配置が選択されていない場合には（Ｓ６５：ＮＯ）、「キャンセル」ボタンが選択されたか否かの判断が行われる（Ｓ６８）。そして、「キャンセル」ボタンが選択されていない場合には（Ｓ６８：ＮＯ）、Ｓ６５、再び「配置」ボタンが選択されたか否かの判断が行われる（Ｓ６４）。「配置」ボタンが選択された場合には（Ｓ６５：ＹＥＳ）、検索結果欄のレイヤが選択されているか否かの判断が行われる（Ｓ６６）。
【００７６】
レイヤが選択されている場合には（Ｓ６６：ＹＥＳ）、選択されたレイヤが見本図面１から検索され（Ｓ６９）、作成図面２の作業領域に配置され（Ｓ７０）、Ｓ６５へ戻る。ここで、見本図面１からの検索方法について述べる。レイヤインデックスＤＢ１１の名称欄には、レイヤの名称が記憶されており、レイヤ名は重複して設定できないので、ここに記憶されている名称でレイヤが検索され、特定される。尚、選択されていない場合には（Ｓ６６：ＮＯ）、「配置するレイヤを検索結果から選択して下さい」等のレイヤの選択を促すメッセージが表示され（Ｓ６７）、Ｓ６５へ戻る。そして、「キャンセル」ボタンが選択されるまでは（Ｓ６８：ＹＥＳ）、繰り返しレイヤの配置を行うことができる。
【００７７】
以上のようにして、「Ｆ＿ＬＡＹＥＲ」コマンドを実行して、レイヤ検索画面１０１の検索文字欄に、挿入するレイヤに関する文字を入力することにより、レイヤインデックスＤＢ１１からその文字を含むレイヤが検索されるので、検索結果から挿入するレイヤを選択して、「配置」ボタンを押すだけでレイヤが作成図面２に挿入される。
【００７８】
次に、図２３及び図２４を参照して、「Ｆ＿ＳＹＭＢＯＬ」コマンドについて説明する。図２３に示すように、シンボル検索画面１０２には、検索文字欄、「実行」ボタン、検索結果欄、「配置」ボタン、「キャンセル」ボタンが設けられている。「実行」ボタンが選択されると、検索文字欄に入力されている文字に関するシンボルが、検索結果欄に表示される。そして、検索結果欄から１つのシンボルが選択され、「配置」ボタンが選択されると、作成図面２にシンボルが挿入される。尚、「キャンセル」ボタンが選択されると処理が終了する。図２３に示す例では、検索文字は「ＰＣ」であり、検索結果欄には 、名称が「ＰＣ−Ｐ３−０１」、種類が「パソコン」、仕様が「ＰＥＮ３−１Ｇｈｚ：メモリ２５６・・・」であるシンボルと、名称が「ＰＣ−Ｐ３−０２」、種類が「パソコン」、仕様が「ＰＥＮ３−１Ｇｈｚ：メモリ２５６・・・」であるシンボルと、名称が「ＰＣ−Ｐ４−１１」、種類が「パソコン」、仕様が「ＰＥＮ４−２Ｇｈｚ：メモリ２５６・・・」であるシンボルと、名称が「ＰＣ−Ｐ４−１２」、種類が「パソコン」、仕様が「ＰＥＮ４−２Ｇｈｚ：メモリ２５６・・・」であるシンボルと、名称が「ＰＣ−ＣＬ−０１」、種類が「パソコン」、仕様が「Ｃｅｌｅｒｏｎ−２．２Ｇｈｚ：メモ・・・」であるシンボルと、名称が「ＰＣ−ＣＬ−０２」、種類が「パソコン」、仕様が「Ｃｅｌｅｒｏｎ−２．０Ｇｈｚ：メモ・・・」であるシンボルと、名称が「ＰＣ−ＣＬ−０３」、種類が「パソコン」、仕様が「Ｃｅｌｅｒｏｎ−２．４Ｇｈｚ：メモ・・・」であるシンボルとが表示されている。
【００７９】
「Ｆ＿ＳＹＭＢＯＬ」コマンドが実行されると、まずシンボル検索画面１０２が表示される（Ｓ８０）。そして、「実行」ボタンが選択されたか否かの判断が行われる（Ｓ８１）。「実行」ボタンが選択されなければ（Ｓ８１：ＮＯ）、繰り返し「実行」ボタンが選択されたか否かの判断が行われる（Ｓ８１）。そして、「実行」ボタンが選択された場合には（Ｓ８１：ＹＥＳ）、検索文字欄の検索文字が読み込まれ（Ｓ８２）、シンボルインデックスＤＢ１２から、検索文字を含むデータが検索されて（Ｓ８３）、検索結果欄へ表示される（Ｓ８４）。ここで、検索文字欄に入力する文字は、見本図面１のシンボル名に含まれている文字でなくても、シンボルインデックスＤＢ１２のいずれかの項目に含まれている文字を入力すればよい。よって、シンボルの名称が分からなくても仕様や特記仕様でも検索することができる。また、特定の仕様を有するシンボルのみを検索することもできる。また、作成者や作成日によっても検索することができる。図２３に示す例では、「ＰＣ」をシンボル管理番号、シンボル名、種類、仕様、特記仕様、登録者、登録日のいずれかに含むデータがシンボルインデックスＤＢ１２から検索される。
【００８０】
次いで、「配置」ボタンが選択されたか否かの判断が行われる（Ｓ８５）。配置が選択されていない場合には（Ｓ８５：ＮＯ）、「キャンセル」ボタンが選択されたか否かの判断が行われる（Ｓ８８）。そして、「キャンセル」ボタンが選択されていない場合には（Ｓ８８：ＮＯ）、Ｓ８５へ戻り、再び「配置」ボタンが選択されたか否かの判断が行われる（Ｓ８５）。「配置」ボタンが選択された場合には（Ｓ８５：ＹＥＳ）、検索結果欄のシンボルが選択されているか否かの判断が行われる（Ｓ８６）。
【００８１】
シンボルが選択されている場合には（Ｓ８６：ＹＥＳ）、選択されたシンボルが見本図面１から検索され（Ｓ８９）、作成図面２の作業領域に配置される（Ｓ９０）。ここで、見本図面１からの検索方法について述べる。シンボルインデックスＤＢ１２の名称欄には、シンボルの名称が記憶されており、ここに記憶されている名称でシンボルが検索される。さらに、シンボルインデックスＤＢ１２の各項目に記憶されている値はシンボルの属性値として定義されているので、その属性値とも比較されることにより、シンボルが特定される。そして、Ｓ８５へ戻る。尚、選択されていない場合には（Ｓ８６：ＮＯ）、「配置するシンボルを検索結果から選択して下さい」等のシンボルの選択を促すメッセージが表示され（Ｓ８７）、Ｓ８５へ戻る。そして、「キャンセル」ボタンが選択されるまでは（Ｓ８８：ＹＥＳ）、繰り返しシンボルの配置を行うことができる。
【００８２】
以上のようにして、「Ｆ＿ＳＹＭＢＯＬ」コマンドを実行して、シンボル検索画面１０２の検索文字欄に、挿入するシンボルに関する文字を入力することにより、シンボルインデックスＤＢ１２からその文字を含むシンボルが検索されるので、検索結果から挿入するシンボルを選択して、「配置」ボタンを押すだけでシンボルが作成図面２に挿入される。
【００８３】
次に、図２５及び図２６を参照して、「Ｆ＿ＣＡＢＬＥ」コマンドについて説明する。図２５に示すように、ケーブル検索画面１０３には、検索文字欄、「実行」ボタン、検索結果欄、「配置」ボタン、「キャンセル」ボタンが設けられている。「実行」ボタンが選択されると、検索文字欄に入力されている文字に関するケーブルが、検索結果欄に表示される。そして、検索結果欄から１つのケーブルが選択され、「配置」ボタンが選択されると、作成図面２にケーブルが挿入される。尚、「キャンセル」ボタンが選択されると処理が終了する。図２５に示す例では、検索文字は「ケーブル」であり、検索結果欄には、名称「光ケーブル」、種類「８芯光ケーブル」、仕様「ＳＭテープ」のケーブルと、名称「光ケーブル−０２」、種類「４芯光ケーブル」、仕様「ＳＭテープ」のケーブルと、名称「光ケーブル−０３」、種類「マルチケーブル」、仕様「ＳＭテープ」のケーブルと、名称「ＵＴＰケーブル０１」、種類「ＵＴＰマルチケーブル」、仕様「カテゴリ５」のケーブルとが表示されている。
【００８４】
「Ｆ＿ＣＡＢＬＥ」コマンドが実行されると、まずケーブル検索画面１０３が表示される（Ｓ１９０）。そして、「実行」ボタンが選択されたか否かの判断が行われる（Ｓ１９１）。「実行」ボタンが選択されなければ（Ｓ１９１：ＮＯ）、繰り返し「実行」ボタンが選択されたか否かの判断が行われる（Ｓ１９１）。そして、「実行」ボタンが選択された場合には（Ｓ１９１：ＹＥＳ）、検索文字欄の検索文字が読み込まれ（Ｓ１９２）、ケーブルインデックスＤＢ１３から、検索文字を含むデータが検索されて（Ｓ１９３）、検索結果欄へ表示される（Ｓ１９４）。ここで、検索文字欄に入力する文字は、見本図面１のケーブル名に含まれている文字でなくても、ケーブルインデックスＤＢ１３のいずれかの項目に含まれている文字を入力すればよい。よって、ケーブルの名称が分からなくても仕様や特記仕様でも検索することができる。また、特定の仕様を有するケーブルのみを検索することもできる。また、作成者や作成日によっても検索することができる。図２５に示す例では、「ケーブル」をケーブル管理番号、ケーブル名、種類、仕様、特記仕様、登録者、登録日のいずれかに含むデータがケーブルインデックスＤＢ１３から検索される。
【００８５】
次いで、「配置」ボタンが選択されたか否かの判断が行われる（Ｓ１９５）。配置が選択されていない場合には（Ｓ１９５：ＮＯ）、「キャンセル」ボタンが選択されたか否かの判断が行われる（Ｓ１９８）。そして、「キャンセル」ボタンが選択されていない場合には（Ｓ１９８：ＮＯ）、Ｓ１９５へ戻り、再び「配置」ボタンが選択されたか否かの判断が行われる（Ｓ１９５）。「配置」ボタンが選択された場合には（Ｓ１９５：ＹＥＳ）、検索結果欄のケーブルが選択されているか否かの判断が行われる（Ｓ１９６）。
【００８６】
ケーブルが選択されている場合には（Ｓ１９６：ＹＥＳ）、選択されたケーブルが見本図面１から検索され（Ｓ１９９）、作成図面２の作業領域に配置される（Ｓ２００）。ここで、見本図面１からの検索方法について述べる。ケーブルインデックスＤＢ１３の名称欄には、ケーブルの名称が記憶されており、ここに記憶されている名称でケーブルが検索される。さらに、ケーブルインデックスＤＢ１３の各項目に記憶されている値はケーブルの属性値として定義されているので、その属性値とも比較されることにより、ケーブルが特定される。そして、Ｓ１９５へ戻る。尚、選択されていない場合には（Ｓ１９６：ＮＯ）、「配置するケーブルを検索結果から選択して下さい」等のケーブルの選択を促すメッセージが表示され（Ｓ１９７）、Ｓ１９５へ戻る。そして、「キャンセル」ボタンが選択されるまでは（Ｓ１９８：ＹＥＳ）、繰り返しケーブルの配置を行うことができる。
【００８７】
以上のようにして、「Ｆ＿ＣＡＢＬＥ」コマンドを実行して、ケーブル検索画面１０３の検索文字欄に、挿入するケーブルに関する文字を入力することにより、ケーブルインデックスＤＢ１３からその文字を含むケーブルが検索されるので、検索結果から挿入するケーブルを選択して、「配置」ボタンを押すだけでケーブルが作成図面２に挿入される。
【００８８】
次に、図２７乃至図３１を参照して、本発明の要部である表記名称生成処理について説明する。表記名称生成処理は「Ｃ＿ＮＡＭＥ」コマンドが実行されることにより行われ、選択されているシンボル又はケーブルの内容を表現した表記名称が生成されて、作成図面２上に文字情報として配置される。また、その際には、履歴情報３ｂのデータも作成される。そして、表記名称を生成した際にすでにその表記名称が作られるような履歴情報のデータが存在している場合には、警告メッセージが表示される。図２７は、表記名称生成後の作成図面２のイメージ図であり、図２７の例では、シンボル４０（プリンタ）が選択されて、その近傍に生成された表記名称４１が「黒須市地域イントラ黒須小西校舎１Ｆ機器ＰＲＴ−ＬＳ−０２プリンタ白黒：９６００×６００：２０ＰＰＭ黒須市担当０１２００３０９２２」と表示されている。
【００８９】
図２８は、レイヤメモリテーブル記憶エリア５１１の概念図である。図２９は、表記名称生成処理中に使用されるシンボル記憶エリア５１２の概念図であり、図３０は、同じく表記名称生成処理中に使用されるケーブル記憶エリア５１３の概念図である。また、図３１は、表記名称生成処理のフローチャートである。
【００９０】
まず、図２８を参照して、レイヤメモリテーブル記憶エリア５１１について説明する。レイヤメモリテーブル記憶エリア５１１には、レイヤ番号欄、レイヤ名欄が設けられている。このレイヤメモリテーブルは、シンボルやケーブルの名称を生成する際に、作成図面２に存在する全てのレイヤのレイヤ名が記憶される。図２８に示す例では、１層目にはレイヤ名「０」、２層目にはレイヤ名「黒須市」、３層目にはレイヤ名「地域イントラ」、４層目にはレイヤ名「黒須小」、５層目にはレイヤ名「西校舎１Ｆ」、６層目にはレイヤ名「機器」、７層目にはレイヤ名「配線」、８層目にはレイヤ名「枠」、９層目にはレイヤ名「文字」、１０層目にはレイヤ名「その他」が記憶されている。
【００９１】
次に、図２９を参照して、シンボル記憶エリア５１２について説明する。このシンボル記憶エリア５１２には、表記名称生成処理において表記名称を生成すると選択されたシンボルのシンボル名及び属性値が記憶される。図２９に示すように、シンボル記憶エリア５１２には、属性と同様にシンボル名欄、種類欄、仕様欄、特記仕様欄、登録者欄、登録日欄が設けられており、図２９に示す例では、シンボル名は「ＰＲＴ−ＬＳ−０２」、「種類」は「プリンタ」、仕様は「白黒：９６００×６００：２０ＰＰＭ」、特記仕様には何も記憶されておらず、登録者は「黒須市担当０１」、登録日は２００３年９月２２日である。
【００９２】
次に、図３０を参照して、ケーブル記憶エリア５１３について説明する。このケーブル記憶エリア５１３には、表記名称生成処理において表記名称を生成すると選択されたケーブルのケーブル名及び属性値が記憶される。図３０に示すように、ケーブル記憶エリア５１３には、属性と同様にケーブル名欄、種類欄、仕様欄、特記仕様欄、登録者欄、登録日欄が設けられており、図３０に示す例では、ケーブル名は「光ケーブル」、種類は「８芯光ケーブル」、仕様は「ＳＭテープ芯線」、特記事項には何も記憶されておらず、登録者は「黒須市担当０１」、登録日は２００３年９月２２日である。
【００９３】
次に、図３１のフローチャートを参照して、表記名称生成処理について説明する。「Ｃ＿ＮＡＭＥ」コマンドが実行されると、まずレイヤメモリテーブル記憶エリア５１１が作成される（Ｓ１００）。ここでは、作成図面２に存在する全てのレイヤの情報がレイヤの順序に従って記憶される。そして、「表記名称を生成するシンボル又はケーブルを選択して下さい」等のシンボル又はケーブルの選択を指示するメッセージが表示される（Ｓ１０１）。そして、シンボルが選択されたか否かの判断が行われる（Ｓ１０２）。
【００９４】
シンボルが選択されている場合には（Ｓ１０２：ＹＥＳ）、選択されているシンボルの属性値が読出され、シンボル記憶エリア５１２に記憶される（Ｓ１０３）。尚、ここで、登録者欄に登録者を記憶するために、登録者欄及び「ＯＫ」ボタンが設けられた登録者入力画面（図示外）が表示されるので、作成者は自分の氏名や、自身を識別するコードや番号を入力し、「ＯＫ」ボタンを入力すると、登録者欄に入力された登録者が記憶される。また、登録日には本日日付が記憶される。また、属性値も新たな登録者と登録日に変更される。そして、シンボル記憶エリア５１２に記憶された各欄の値が、履歴情報の登録日及び登録者以外の各欄の値と同一で、且つ、選択されたシンボルが配置されているレイヤが履歴情報のレイヤ欄の最後に記憶されているレイヤと同一であるか否かにより、すでに履歴情報のデータがあるか否かの判断が行われる（Ｓ１０４）。そして、すでに履歴情報のデータがある場合には（Ｓ１０４：ＹＥＳ）、「この表記名称はすでに作成されています」という旨の警告メッセージが表示され（Ｓ１０８）、処理を終了する。
【００９５】
履歴情報のデータがない場合には（Ｓ１０４：ＮＯ）、表記名称を作成し、表記名称記憶エリアに記憶される（Ｓ１０５）。具体的には、選択されたシンボルが配置されているレイヤよりも層の順位が低いレイヤのレイヤ名を順に並べ、その後に、配置レイヤのレイヤ名、シンボル記憶エリア５１２に記憶されている値を順に並べる。但し、「０」レイヤは、全てのＣＡＤ図面に生成されるＡｕｔｏＣＡＤ（登録商標）上の特別な画層なので使用しない。例えば、機器レイヤ２０６に配置されているシンボルが選択されている場合には、機器レイヤ２０６よりも層の順位が低いレイヤは１層目の「０」、２層目の「黒須市」、３層目の「地域イントラ」、４層目の「黒須小」、５層目の「西校舎１Ｆ」である。しかし、「０」は使用しないので、順位の低い順から並べて、「黒須市地域イントラ黒須小西校舎１Ｆ機器」となる。そして、シンボル情報記憶エリアの値が図２９に示すものであったとすると、「黒須市地域イントラ黒須小西校舎１Ｆ機器ＰＲＴ−ＬＳ−０２プリンタ白黒：９６００×６００：２０ＰＰＭ黒須市担当０１２００３０９２２」となる。
【００９６】
そして、選択されているシンボルの配置されているレイヤのシンボルの近傍に表記名称記憶エリアに記憶されている表記名称が文字情報として配置される（Ｓ１０６）。そして、履歴情報にデータが記憶される（Ｓ１０７）。履歴管理番号は連続番号となっているので、最新データの履歴管理番号に「１」を加算した値が記憶され、種別には作成図面でのデータであることを示す「２」が記憶され、レイヤ欄には、選択シンボルが配置されているレイヤよりも順位の低いレイヤで、「０」を除くレイヤのレイヤ名がレイヤの順位の低い順に記憶され、名前欄にはシンボル名が記憶され、種類欄、仕様欄、特記仕様欄、登録者欄、登録日欄にはシンボル記憶エリア５１２の各値が記憶される。そして、処理は終了する。
【００９７】
また、シンボルが選択されておらず（Ｓ１０２：ＮＯ）、ケーブルが選択されている場合には（Ｓ１１２：ＹＥＳ）、選択されているケーブルの属性値が読出され、ケーブル記憶エリア５１３に記憶される（Ｓ１１３）。尚、ここで、登録者欄に登録者を記憶するために、登録者欄及び「ＯＫ」ボタンが設けられた登録者入力画面（図示外）が表示されるので、作成者は自分の氏名や、自身を識別するコードや番号を入力し、「ＯＫ」ボタンを入力すると、登録者欄に入力された登録者が記憶される。また、登録日には本日日付が記憶される。また、属性値も新たな登録者と登録日に変更される。そして、ケーブル記憶エリア５１３に記憶された各欄の値が、履歴情報の登録日及び登録者以外の各欄の値と同一で、且つ、選択されたケーブルが配置されているレイヤが履歴情報のレイヤ欄の最後に記憶されているレイヤと同一であるか否かにより、すでに履歴情報のデータがあるか否かの判断が行われる（Ｓ１１４）。そして、すでに履歴情報のデータがある場合には（Ｓ１１４：ＹＥＳ）、「この表記名称はすでに作成されています」という旨のメッセージが表示され（Ｓ１１８）、処理を終了する。
【００９８】
履歴情報のデータがない場合には（Ｓ１１４：ＮＯ）、表記名称が作成され、表記名称記憶エリアに記憶される（Ｓ１１５）。具体的には、選択されたケーブルが配置されているレイヤよりも層の順位が低いレイヤのレイヤ名を順に並べ、その後に、配置レイヤのレイヤ名、ケーブル記憶エリア５１３に記憶されている値を順に並べる。但し、「０」レイヤは、全てのＣＡＤ図面に生成されるＡｕｔｏＣＡＤ（登録商標）上の特別な画層なので使用しない。例えば、配線レイヤ２０７に配置されているケーブルが選択されている場合には、配線レイヤ２０７よりも層の順位が低いレイヤは１層目の「０」、２層目の「黒須市」、３層目の「地域イントラ」、４層目の「黒須小」、５層目の「西校舎１Ｆ」、６層目の「機器」である。しかし、「０」は使用しないので、順位の低い順から並べて、「黒須市地域イントラ黒須小西校舎１Ｆ機器配線」となる。そして、ケーブル情報記憶エリアの値が図３０に示すものであったとすると、「黒須市地域イントラ黒須小西校舎１Ｆ機器配線光ケーブル８芯光ケーブルＳＭテープ芯線黒須市担当０１２００３０９２２」となる。
【００９９】
そして、選択されているケーブルの配置されているレイヤのケーブルの近傍に表記名称記憶エリアに記憶されている表記名称が文字情報として配置される（Ｓ１１６）。そして、履歴情報にデータが記憶される（Ｓ１１７）。履歴管理番号は連続番号となっているので、最新データの履歴管理番号に「１」を加算した値が記憶され、種別には作成図面でのデータであることを示す「２」が記憶され、レイヤ欄には、選択ケーブルが配置されているレイヤよりも順位の低いレイヤで、「０」を除くレイヤのレイヤ名がレイヤの順位の低い順に記憶され、名前欄にはケーブル名が記憶され、種類欄、仕様欄、特記仕様欄、登録者欄、登録日欄にはケーブル記憶エリア５１３の各値が記憶される。そして、処理は終了する。尚、シンボルもケーブルも選択されていない場合には（Ｓ１０２：ＮＯ、Ｓ１１２：ＮＯ）、シンボル又はケーブルが選択されるまでＳ１０２，Ｓ１１２の処理を繰り返す。
【０１００】
次に、図３２及び図３３を参照して、履歴情報検索処理について説明する。この履歴情報検索処理は、「Ｆ＿ＨＩＳ」コマンドにより実施され、コマンドを実行したＣＡＤ図面の履歴情報を検索し、指定された検索文字を含むデータを表示する。図３２は、履歴情報検索画面３０１のイメージ図である。図３３は、履歴情報検索処理のフローチャートである。
【０１０１】
図３２に示すように、履歴情報検索画面３０１には、検索文字欄、「実行」ボタン、検索結果欄が設けられている。「実行」ボタンが選択されると、検索文字欄に入力されている文字で履歴情報のデータが検索されて、その文字を含むデータが表示される。図３２に示す例では、検索文字は「ＰＣ」であり、検索結果の名称が「ＰＣ−Ｐ３−０１」、種類が「パソコン」、仕様が「ＰＥＮ３−１Ｇｈｚ：メモリ２５６・・・」のデータ、名称が「ＰＣ−Ｐ３−０２」、種類が「パソコン」、仕様が「ＰＥＮ３−１Ｇｈｚ：メモリ２５６・・・」のデータ、名称「ＰＣ−ＣＬ−０２」、種類が「パソコン」、仕様が「Ｃｅｌｅｒｏｎ−２．０Ｇｈｚ：メモ・・・」というデータが検索結果として表示されており、それに続く他のデータは省略されている。
【０１０２】
次に、図３３のフローチャートを参照して、履歴情報検索処理について説明する。「Ｆ＿ＨＩＳ」コマンドが実行されると、まず履歴情報検索画面３０１が表示される（Ｓ１３０）。そして、「実行」ボタンが選択されたか否かの判断が行われる（Ｓ１３１）。「実行」ボタンが選択されていない場合には（Ｓ１３１：ＮＯ）、繰り返し「実行」ボタン選択の確認が行われる（Ｓ１３１）。そして、「実行」ボタンが選択されたら（Ｓ１３１：ＹＥＳ）、検索文字欄に入力されている検索文字が読み込まれ（Ｓ１３２）、検索情報の全てのデータの全ての項目に入力された検索文字が含まれているか否かが判断されて、含まれているものがあれば各項目の内容が検索結果欄に表示される（Ｓ１３３）。図３２に示す例では、「ＰＣ」を履歴管理番号、種別、レイヤ、名前、種類、仕様、特記仕様、登録者、登録日のいずれかに含むデータが履歴情報から検索される。そして、処理を終了する。尚、履歴情報検索画面３０１は画面右上の×印の閉じるボタンが選択されると、閉じられる。
【０１０３】
以上のようにして、履歴情報を検索することができるので、表記名称作成済みのシンボルやケーブルを知ることができる。また、登録者や登録日を知る事もできる。さらに、この情報を用いて、シンボルやケーブルの個数の集計を行い、費用の集計等に利用することができる。
【０１０４】
尚、本実施の形態において、「Ｐ＿ＬＡＹＥＲ」コマンドを実行した際に行われるレイヤ作成処理を実行するＣＰＵ５０が「画層作成手段」に相当する。「Ｐ＿ＳＹＭＢＯＬＲＥＧＩＳＴ」コマンド実行した際に行われるシンボル作成処理、及び、「Ｐ＿ＣＡＢＬＥＤＲＡＷ」コマンドを実行した際に行われるケーブル作図処理を実行するＣＰＵ５０が「図形要素作成手段」に相当する。
【０１０５】
また、「Ｆ＿ＳＹＭＢＯＬ」コマンド、「Ｆ＿ＬＡＹＥＲ」コマンド、「Ｆ＿ＣＡＢＬＥ」コマンドが「検索指示手段」に相当する。そして、「Ｆ＿ＳＹＭＢＯＬ」コマンドを実行した際に行われるレイヤ検索処理のＳ６３、「Ｆ＿ＬＡＹＥＲ」コマンドを実行した際に行われるシンボル検索処理のＳ８３、「Ｆ＿ＣＡＢＬＥ」コマンドを実行した際に行われるケーブル検索処理のＳ１９３の処理を実行するＣＰＵ５０が「第１検索手段」に相当する。また、レイヤ検索処理のＳ６９、シンボル検索処理のＳ８９、ケーブル検索処理のＳ１９９の処理を実行するＣＰＵ５０が「第２検索手段」に相当する。また、レイヤ検索処理のＳ６４、シンボル検索処理のＳ８４、ケーブル検索処理のＳ１９４の処理を実行するＣＰＵ５０が「表示制御手段」に相当する。また、レイヤ検索処理のＳ６６、シンボル検索処理のＳ８６、ケーブル検索処理のＳ１９６の処理を実行するＣＰＵ５０が「選択手段」に相当する。また、レイヤ検索処理のＳ７０の処理を実行するＣＰＵ５０が「画層追加手段」に相当する。また、シンボル検索処理のＳ９０、ケーブル検索処理のＳ２００の処理を実行するＣＰＵ５０が「図形要素追加手段」に相当する。
【０１０６】
また、「Ｃ＿ＮＡＭＥ」コマンドが「表記名称作成指示手段」に相当する。そして、「Ｃ＿ＮＡＭＥ」コマンドを実行した際に行われる表記名称生成処理のＳ１０５，Ｓ１１５の処理を実行するＣＰＵ５０が「表記名称決定手段」に相当し、Ｓ１０６，Ｓ１１６の処理を実行するＣＰＵ５０が「表示名称作成手段」に相当する。
【０１０７】
また、履歴情報記憶エリア５８４が「履歴情報記憶手段」に該当し、Ｓ１０７，Ｓ１１７の処理を実行するＣＰＵ５０が「履歴情報記憶制御手段」に相当する。「Ｆ＿ＨＩＳ」コマンドを実行した際に行われる履歴情報検索処理を実行するＣＰＵ５０が「履歴情報検索手段」に相当する。
【０１０８】
また、インデックスＤＢ記憶エリア５８３が「説明情報記憶手段」に該当する。また、作成図面２に挿入されたレイヤ、シンボル、ケーブルに付随して記憶されている属性値が「表記名称作成用情報記憶手段」に相当し、作成図面データ記憶エリア５８２内の属性テーブルに記憶されている。
【０１０９】
尚、本発明のＣＡＤシステム及びＣＡＤシステムを搭載した装置は、上記した実施の形態に限定されるものではなく、本発明の要旨を逸脱しない範囲内において種々変更を加え得ることは勿論である。本実施の形態では、ＣＡＤソフトとしてＡｕｔｏＣＡＤ（登録商標）を使用したが、他のＣＡＤソフトであってもよい。また、作成図面は作成図面２の黒須市地域イントラネット敷設事業に関するものに限らず、ＣＡＤを使用して作成される図面であればよい。上記実施の形態では、見本図面はＣＡＤシステム提供者から提供されていたが、事業の管理者がその事業の内容に合った見本図面を作成するようにしてもよい。
【０１１０】
また、上記実施の形態では、コマンド領域にコマンドを入力しているが、専用のウィンドウを表示させて、そのウィンドウ内にボタンを設けて実行させてもよいし、ツールバーにアイコンを表示させるようにしてもよい。また、コマンドの綴りは上記実施の形態の綴りに限らず、予めＣＡＤシステムに登録されている綴り、ＣＡＤシステムで禁止されている綴りでなければよい。
【０１１１】
また、インデックスＤＢ１０の各項目は上記実施の形態のものに限らず、さらに詳細な項目を設けたり、作成する図面の内容に合ったものを使用すればよい。また、図形要素としてシンボル及びケーブルを使用しているが、図形要素はこれに限らず、図形要素の特性に合わせてたものを設けて、インデックスＤＢの項目もその特性に合わせたものを設ければよい。例えば、室内の図面用でなく広域地図に対する図面用に、建築物や施設用の図形要素を設けたり、ケーブルとケーブルを接続するための機器用の図形要素を設けたりしてもよい。
【０１１２】
また、上記実施の形態では、シンボルやケーブルにインデックスＤＢと同様の内容の属性値を持たせており、作成図面へ挿入されたシンボルやケーブルの表記名称を生成する際には、作成図面データ記憶エリア５８２内の属性テーブルを「表記名称作成用情報記憶手段」として属性値から値を取得している。しかし、属性値を利用せずに、シンボルやケーブルを挿入する際にインデックスＤＢの該当データを別に記憶する記憶エリアを設けて「表記名称作成用情報記憶手段」としてもよい。
【０１１３】
上記実施の形態では、その図形要素の配置されているレイヤのレイヤ名と、そのレイヤよりも層の順位が低いレイヤのレイヤ名、図形要素の名前、図形要素の属性値を並べて表記名称を生成している。しかし、図形要素の表記名称の生成方法はこれに限らず、特性の項目のみを使用してもよい。また、生成された表記名称を図形要素が配置されているレイヤ上に配置したが、配置するレイヤはこれに限らず、表記名称を配置する用のレイヤを設けて、そのレイヤに配置しても良い。
【０１１４】
また、上記実施の形態では、見本図面１を作成するためにレイヤを新規で作成するために、「Ｐ＿ＬＡＹＥＲ」コマンドを実行しているが、図形要素のインデックスＤＢにその図形要素が配置されるべきレイヤを指定する情報を記憶しておき、図形要素を作成するコマンド（上記実施の形態では、「Ｐ＿ＳＹＭＢＯＬＲＥＧＩＳＴ」コマンド、「Ｐ＿ＣＡＢＬＥＤＲＡＷ」）が実行された際に、指定のレイヤが存在しない場合に自動的に挿入するようにしてもよい。
【産業上の利用可能性】
【０１１５】
本発明のＣＡＤシステム及びＣＡＤシステムを搭載した装置は、複数の人物が使用するＣＡＤ図面による設計図等を作成する際に使用することができる。
【図面の簡単な説明】
【０１１６】
【図１】黒須市の地域イントラネット敷設事業における、黒須小学校の西校舎１Ｆの多目的室及び職員室の平面図である。
【図２】作成図面２のレイヤの概念図である。
【図３】作成図面２の施設レイヤ２０５のみのイメージ図である。
【図４】作成図面２の機器レイヤ２０６のみのイメージ図である。
【図５】本発明のＣＡＤシステムのデータ構成の概念図である。
【図６】図面作成の手順のフローチャートである。
【図７】端末装置５の電気的構成を示すブロック図である。
【図８】端末装置５のＲＡＭ５１の概念図である。
【図９】レイヤインデックスＤＢ１１の概念図である。
【図１０】シンボルインデックスＤＢ１２の概念図である。
【図１１】ケーブルインデックスＤＢ１３の概念図である。
【図１２】見本図面１作成時に作成される履歴情報３ａの概念図である。
【図１３】作成図面２作成時に作成される履歴情報３ｂの概念図である。
【図１４】「Ｐ＿ＬＡＹＥＲ」コマンド実行時に表示されるレイヤ作成画面１１０のイメージ図である。
【図１５】「Ｐ＿ＬＡＹＥＲ」コマンド実行時のレイヤ作成処理のフローチャートである。
【図１６】「Ｐ＿ＳＹＭＢＯＬＲＥＧＩＳＴ」コマンド実行時に表示されるシンボル作成画面１２０のイメージ図である。
【図１７】「Ｐ＿ＳＹＭＢＯＬＲＥＧＩＳＴ」コマンド実行時のシンボル作成処理のフローチャートである。
【図１８】「Ｐ＿ＣＡＢＬＥＤＲＡＷ」コマンド実行時に表示されるケーブル作成画面１３１のイメージ図である。
【図１９】「Ｐ＿ＣＡＢＬＥＤＲＡＷ」コマンド実行時に表示されるケーブル属性入力画面１３２のイメージ図である。
【図２０】「Ｐ＿ＣＡＢＬＥＤＲＡＷ」コマンド実行時のケーブル作図処理のフローチャートである。
【図２１】「Ｆ＿ＬＡＹＥＲ」コマンド実行時に表示されるレイヤ検索画面１０１のイメージ図である。
【図２２】「Ｆ＿ＬＡＹＥＲ」コマンド実行時のレイヤ検索処理のフローチャートである。
【図２３】「Ｆ＿ＳＹＭＢＯＬ」コマンド実行時に表示されるシンボル検索画面１０２のイメージ図である。
【図２４】「Ｆ＿ＳＹＭＢＯＬ」コマンド実行時のシンボル検索処理のフローチャートである。
【図２５】「Ｆ＿ＣＡＢＬＥ」コマンド実行時に表示されるケーブル検索画面１０３のイメージ図である。
【図２６】「Ｆ＿ＣＡＢＬＥ」コマンド実行時のケーブル検索処理のフローチャートである。
【図２７】表記名称生成後の作成図面２のイメージ図である。
【図２８】レイヤメモリテーブル記憶エリア５１１の概念図である。
【図２９】シンボル記憶エリア５１２の概念図である。
【図３０】ケーブル記憶エリア５１３の概念図である。
【図３１】「Ｃ＿ＮＡＭＥ」コマンド実行時の表記名称生成処理のフローチャートである。
【図３２】履歴情報検索画面３０１のイメージ図である。
【図３３】「Ｆ＿ＨＩＳ」コマンド実行時の履歴情報検索処理のフローチャートである。
【符号の説明】
【０１１７】
１  見本図面
２  作成図面
３  履歴情報
３ａ  履歴情報
３ｂ  履歴情報
５  端末装置
１０  インデックスＤＢ
１１  レイヤインデックスＤＢ
１２  シンボルインデックスＤＢ
１３  ケーブルインデックスＤＢ
３０  シンボル記憶エリア
４０  シンボル
４１  表記名称
５０  ＣＰＵ
５８  ハードディスク装置
５９  ディスプレイ
１０１  レイヤ検索画面
１０２  シンボル検索画面
１０３  ケーブル検索画面
１１０  レイヤ作成画面
１２０  シンボル作成画面
１３１  ケーブル検索画面
１３２  ケーブル属性入力画面
３０１  履歴情報検索画面
５１１  レイヤメモリテーブル記憶エリア
５１２  シンボル記憶エリア
５１３  ケーブル記憶エリア
５１４  表記名称記憶エリア
５１５  その他の一時記憶エリア
５８１  見本図面記憶エリア
５８２  作成図面記憶エリア
５８３  インデックスＤＢ記憶エリア
５８４  履歴情報記憶エリア
５８６  プログラム記憶エリア
５８６  その他の情報記憶エリア
【図１】
2005100180.tif 000003
【図２】
2005100180.tif 000004
【図３】
2005100180.tif 000005
【図４】
2005100180.tif 000006
【図５】
2005100180.tif 000007
【図６】
2005100180.tif 000008
【図７】
2005100180.tif 000009
【図８】
2005100180.tif 000010
【図９】
2005100180.tif 000011
【図１０】
2005100180.tif 000012
【図１１】
2005100180.tif 000013
【図１２】
2005100180.tif 000014
【図１３】
2005100180.tif 000015
【図１４】
2005100180.tif 000016
【図１５】
2005100180.tif 000017
【図１６】
2005100180.tif 000018
【図１７】
2005100180.tif 000019
【図１８】
2005100180.tif 000020
【図１９】
2005100180.tif 000021
【図２０】
2005100180.tif 000022
【図２１】
2005100180.tif 000023
【図２２】
2005100180.tif 000024
【図２３】
2005100180.tif 000025
【図２４】
2005100180.tif 000026
【図２５】
2005100180.tif 000027
【図２６】
2005100180.tif 000028
【図２７】
2005100180.tif 000029
【図２８】
2005100180.tif 000030
【図２９】
2005100180.tif 000031
【図３０】
2005100180.tif 000032
【図３１】
2005100180.tif 000033
【図３２】
2005100180.tif 000034
【図３３】
2005100180.tif 000035